(57)【要約】【課題】  大きさや形状の異なる装着孔に対しても、半割状の商品見本を、安定した状態で取付できるとともに、需要者に対する購買訴求力を高めた商品見本体を提供することを目的とする。【課題を解決するための手段】  自動販売機の装着台に、装着孔の複数に対応してその両端に位置する装着孔に取り付ける商品見本体１であって、本体２前面には、半割状の商品見本部４と宣伝広告表示部５ａ，５ｂ，５ｃを備えるとともに、本体２底面６には、二つの装着孔にそれぞれ係脱可能に嵌合する二つの嵌合突部７ａ，７ｂを備え、これらの嵌合突部７ａ，７ｂは、それぞれ対応する装着孔に対して、外側において弾接して嵌合するものである。【選択図】    図１
2006209307.tif 000002
【特許請求の範囲】
【請求項１】
自動販売機内に配置した商品見本装着孔を設けてなる商品見本装着台に、前記商品見本装着孔の複数に対応して取り付ける商品見本体であって、本体前面には、半割状の商品見本部を備えるとともに、本体底面には、二つの商品見本装着孔にそれぞれ係脱可能に嵌合する二つの嵌合突部を備え、一体成形してなることを特徴とする自動販売機用商品見本体。
【請求項２】
本体前面には、半割状の商品見本部に加えて、宣伝広告表示部を備えたことを特徴とする請求項１記載の自動販売機用商品見本体。
【請求項３】
二つの嵌合突部は、内側部分を切除し、それぞれ対応する商品見本装着孔に対して、外側部分において弾接して嵌合することを特徴とする請求項１または請求項２記載の自動販売機用商品見本体。
【発明の詳細な説明】
【技術分野】
【０００１】
本発明は、自動販売機の商品見本装着孔（以下単に装着孔という。）を設けてなる商品見本装着台（以下単に装着台という。）に、複数の装着孔に対応して取り付ける商品見本体に関する。
【背景技術】
【０００２】
従来の自動販売機における装着台としては、商品見本の展示効果を上げるために、内部に照明器具を配置した構成のものが一般的であり、商品見本を装着する面には照明用透孔を兼ねる装着孔を設けている。この装着孔は、従来の商品見本のほとんどが円筒状のため、これに対応すべく円形のものが多いが、径の異なるものや、縁部に切り欠きを形成したものなど、各種の構成がある。一方、商品見本としては、近年、経済性を考慮して、商品形状に倣った合成樹脂製の筒状のものよりも、前面側半分を模した半割状のものが多くなっているが、この半割状商品見本の前記装着孔への取付は、筒状商品見本と同様に、商品見本の本体底部に設けた嵌合突部の係合溝を、前記装着孔の縁部に係合するものである。そして、商品見本は一つの嵌合突部を備え、装着孔一つ毎に一つずつ取り付けるよう構成している。
【特許文献１】特開２００１−２２９４４４号公報
【発明の開示】
【発明が解決しようとする課題】
【０００３】
ところで、一般に自動販売機用の商品見本は、自動販売機で販売される商品の大きさや形状と同一に形成されるので、半割状商品見本においても複数の大きさの見本があるが、多くの半割状商品見本の底面は、ほぼ半円形となる。このため、装着孔の大きさが若干相違したり、縁部に設けた切り欠き部の存在によって、半割状商品見本の底部に設けた係合溝による装着孔との係合は不安定なものとなる。このように、装着孔の大きさや形状が異なる装着台が存在して、安定状態での取付が困難なため、半割状のボトル型商品見本では、自動販売機の扉を開けた際の風圧の影響で設置位置がずれたり、脱落してしまうという不都合を生じている。
【０００４】
また、一つの装着孔に対して一つの半割状商品見本を装着するよう構成しているので、商品の実物が展示されているのと同様の視覚的効果を上げることはできるものの、需要者に対する購買訴求効果に乏しいという不都合がある。一方、この購買訴求効果を上げるために、宣伝広告などを表示する場合には、別途表示部材に表示した上、各別に半割状商品見本に取り付けなければならず、煩雑であるという不都合がある。
【０００５】
本発明は、このような不都合を解消して、大きさや形状の異なる装着孔に対しても、半割状の商品見本を、安定した状態で取り付けできるとともに、需要者に対する購買訴求力を高めた商品見本体を提供することを目的とする。
【課題を解決するための手段】
【０００６】
この目的を達成するため、本発明の請求項１に係る自動販売機用商品見本体は、自動販売機内に配置した装着孔を設けてなる装着台に、前記装着孔の複数に対応して取り付ける商品見本体であって、本体前面には、半割状の商品見本部を備えるとともに、本体底面には、二つの装着孔にそれぞれ係脱可能に嵌合する二つの嵌合突部を備え、一体成形してなるものである。
【０００７】
同じく上記目的を達成するため、本発明の請求項２の発明は、上記請求項１に係る商品見本体の構成において、本体前面には、半割状の商品見本部に加えて、宣伝広告表示部を備えたことを特徴とするものである。
【０００８】
同じく上記目的を達成するため、本発明の請求項３の発明は、上記請求項１または請求項２に係る商品見本体の構成において、二つの嵌合突部は、内側部分を切除し、それぞれ対応する装着孔に対して、外側部分において弾接して嵌合することを特徴とするものである。
【発明の効果】
【０００９】
本発明の請求項１に係る自動販売機用の商品見本体によれば、異なる形状や大きさの装着孔を有する装着台であっても、二つの装着孔に安定した状態で確実に取り付けることができ、また、取り付けた後には、自動販売機の扉開閉時の風圧や衝撃が加わっても、半割状商品見本体の取付状態がずれたり、脱落することがないという効果を奏する。
【００１０】
本発明の請求項２に係る自動販売機用の商品見本体によれば、商品見本部のほか宣伝広告表示部を設けたので、上記請求項１に係る自動販売機用の商品見本体の効果に加えて、商品見本とともに宣伝広告を表示して、需要者に対する購買訴求力を高めることができるとともに、別途宣伝広告用の表示部材を設ける必要がないので簡便であるという効果を奏する。
【００１１】
本発明の請求項３に係る自動販売機用の商品見本体によれば、二つの嵌合突部を、内側部分を切除し、それぞれ対応する装着孔に対して、外側部分において弾接して嵌合するよう構成したので、上記請求項１または請求項２に係る自動販売機用の商品見本体の効果に加えて、より安定した状態で確実に取り付けられるとともに、脱着動作も容易であるという効果を奏する。
【発明を実施するための最良の形態】
【００１２】
以下、本発明の好適な実施形態を添付図面に基づいて説明する。ここにおいて、図１は商品見本体の斜視図、図２は商品見本体を装着孔に取り付けた状態を示す正面図、図３は同じく底面図である。
【００１３】
はじめに、装着台について説明する。図２及び図３に示す装着台２１は、自動販売機（図示せず）内の商品見本展示部（図示せず）に配置して固定するものである。この装着台２１の上面には、内部に配置した照明器具（図示せず）の光を通過させる照明用透孔を兼ねる複数の装着孔２２ａ，２２ｂ，２２ｃ（三つのみ図示）を等間隔に設けている。そして、前記装着孔２２ａ，２２ｂ，２２ｃの数は、前記商品見本展示部に対応する装着台２１の長さ及び自動販売機で販売する商品の種類数に応じて決定される。また、前記装着孔２２ａ，２２ｂ，２２ｃの形状は、凹入部２３ａ，２３ｂ，２３ｃが形成されているが、この凹入部２３ａ，２３ｂ，２３ｃの有無に関わらず、本発明は適用可能である。
【００１４】
図１及び図２に示すように、商品見本体１は、従来の半割状の商品見本と同様に、光透過性を有する合成樹脂で一体成形したもので、平板状の本体２は縦長の長方形状であり、縦方向の長さは、容量５００ｍｌ程度のボトル型容器の高さとほぼ同一に設定され、横方向の長さは、二つの装着孔２２ａ，２２ｂに対応するのに十分な長さを有している。また、前記本体２の下部には、前面側に突出するように、段部３が形成されている。
【００１５】
本体２の前面には、半割状の商品見本部４が、前面方向に突出するよう設けられている。この商品見本部４は、容量５００ｍｌ程度のボトル型中空成形商品容器を前後に半割状にした形状とほぼ同一であり、右側に若干傾斜した状態で設けられている。そして、図示してはいないが、前記商品見本部４には、商品容器のデザインにならった図柄や文字を表示している。また、前記本体２前面における前記商品見本部４の左右には、宣伝広告表示部５ａ，５ｂ，５ｃを設けている。これら宣伝広告表示部５ａ，５ｂ，５ｃには、図示してはいないが、適宜なキャッチコピーのような宣伝広告文や宣伝広告用の図柄などを表示している。
【００１６】
本体２の底面６には、二つの嵌合突部７ａ，７ｂを、装着孔２２ａ，２２ｂに対応する位置に形成し、前記底面６と前記嵌合突部７ａ，７ｂとの間には、係合溝（不可視）を設けている。前記各嵌合突部７ａ，７ｂはほぼ半円状で、互いの内側（対向する側）部分が直線的に切除された形状となっている。これら各嵌合突部７ａ，７ｂの外側（対向する側と反対側）部分の係合溝において、装着孔２２ａ，２２ｂの縁部に弾接して取り付けられるものである。
【００１７】
続いて、装着台２１の装着孔２２ａ，２２ｂに対する半割状の商品見本体１の取付動作を説明する。まず、嵌合突部７ａ，７ｂを、装着孔２２ａ，２２ｂに対応位置させ、本体２の横方向両端を把持して後面側に湾曲するようにした状態で、前記各装着孔２２ａ，２２ｂに前記各嵌合突部７ａ，７ｂを挿入する。この挿入動作は、前記各嵌合突部７ａ，７ｂの内側が切除された形状になっているので、容易に行うことができる。挿入後、本体２の湾曲状態を解除すると、各嵌合突部７ａ，７ｂの外側の係合溝が対応する各装着孔２２ａ，２２ｂの縁部に弾接するように嵌合する。これによって、図２及び図３に示すように、前記商品見本体１を装着台２１の各装着孔２２ａ，２２ｂに支持した状態となる。
【００１８】
一方、上述と逆の動作を行えば、商品見本体１を各装着孔２２ａ，２２ｂから取り外すことができる。すなわち、本体２の横方向両端を把持して後面側に湾曲するようになし、各嵌合突部７ａ，７ｂの外側の係合溝と各装着孔２２ａ，２２ｂの縁部との嵌合関係を解除し、前記本体２を引き上げて、商品見本体１を装着台２１から離脱するものである。
【００１９】
なお、本発明は上述の実施形態に限定されるものではなく、例えば、本体２の横方向の長さを装着孔２２ａ，２２ｂ，２２ｃの三つ分以上に対応するよう設定してもよい。この場合には、各嵌合突部７ａ，７ｂを、複数の装着孔２２ａ，２２ｂ，２２ｃの嵌合すべき両端に位置する二つのものに対応位置するよう設ければよい。また、商品見本部４や宣伝広告表示部５ａ，５ｂ，５ｃの大きさや形状も、対象となる商品容器に合わせて種々変更可能である。さらに、前記商品見本部４は本体２に傾斜状態ではなく、垂直状態で配置してもよいものである。
【図面の簡単な説明】
【００２０】
【図１】商品見本体の斜視図。
【図２】商品見本体を装着孔に取り付けた状態を示す正面図。
【図３】同状態の底面図。
【符号の説明】
【００２１】
１      商品見本体
２      本体
３      段部
４      商品見本部
５ａ，５ｂ，５ｃ      宣伝広告表示部
６      底面
７ａ，７ｂ      嵌合突部
２１      装着台
２２      装着孔
【図１】
2006209307.tif 000003
【図２】
2006209307.tif 000004
【図３】
2006209307.tif 000005